(57)【要約】【課題】マイナスイオンを発生して健康増進効果を有するとともに従来と同様のデザインを実現可能な眼鏡フレームを提供する。【解決手段】眼鏡フレーム１を構成する部材である、リムフレーム、テンプル等の人体側−すなわち内側に粉末状の天然放射性稀有元素含有鉱物を混合した樹脂層２を形成する。天然放射性稀有元素含有鉱物はマイナスイオンを発生するため、人体に健康増進効果が発揮される。また、外側の本体となる樹脂層３は、従来と同様の樹脂材料を用いれば様々なデザインに対応することができ、眼鏡フレームとしてのデザインを損なうことがない。【選択図】　　　　図１
2004053963.tif 000002
【特許請求の範囲】
【請求項１】
眼鏡フレームを構成する部材の人体側の面の少なくとも一部に、粉末状の天然放射性稀有元素含有鉱物を含有する樹脂層が形成されていることを特徴とする眼鏡フレーム。
【請求項２】
前記部材は、前記鉱物を含有する樹脂プレートを別の樹脂プレートに接着剤で貼り合せ機械加工により成形していることを特徴とする請求項１に記載の眼鏡フレーム。
【請求項３】
前記部材は、前記鉱物を混合した樹脂材料を含む複数種類の樹脂材料を用いて押出成形により成形した積層プレートを機械加工により成形していることを特徴とする請求項１に記載の眼鏡フレーム。
【請求項４】
前記樹脂層は、前記部材に形成された凹部に埋め込まれていることを特徴とする請求項１に記載の眼鏡フレーム。
【請求項５】
前記樹脂層は、前記部材に塗布されて形成されていることを特徴とする請求項１に記載の眼鏡フレーム。
【発明の詳細な説明】
【０００１】
【発明の属する技術分野】
本発明は、眼鏡フレームに関し、特に、健康器具としての機能も併せ持つ眼鏡フレームに関する。
【０００２】
【従来の技術】
眼鏡フレームでは、従来よりマイナスイオンを発生する鉱石をフレームの部材中に含有させて、発生するマイナスイオンによる健康増進効果を図ることが提案されている。例えば、特開平１１−２４２１９０号公報では、金属製又は合成樹脂製の複数の部品からなるメガネフレームにおいて、少なくとも一つの部品の表面の少なくとも一部に、トルマリン鉱石を混入した塗装膜を形成したことを特徴とするメガネフレームが記載されている。また、特開平１１−２７１６９０号公報では、眼鏡のテンプルの耳掛け部に外挿する樹脂製のモダンに関して、耳に対向する部分に配置された弾性パッド部に、トルマリン、エネルギー交換材料、磁鉄鉱の粉末状又は成形品を含ませる点が記載されている。
【０００３】
一方、マイナスイオン発生物質として、天然放射性稀有元素含有鉱物が知られている。例えば、特開昭５１−６７０８９号公報には、ラジウム、トリウム、ウラン等の放射性元素を含む天然鉱物を粉末状にして、建材、壁、セメント、合成樹脂等に混合した点について記載されている。また、特開２０００−２６２６４１号公報には、こうしたマイナスイオン発生物質を合成樹脂材中に均一に分散させた材料により作成された眼鏡のつる等に取り付けることができる健眼用具が記載されている。
【０００４】
【発明が解決しようとする課題】
従来用いられているトルマリンについては、マイナスイオン発生物質として挙げられているものの、どのようにマイナスイオンが発生しているのか明確に理解されていないのが現状である。また、天然放射性稀有元素含有鉱物については、特開昭５１−６７０８９号公報にも示されているように、測定によりマイナスイオンの発生は確認されているが、合成樹脂に混合すると明るい薄茶色に着色されるため表装材に用いることはデザイン上問題がある。また、その上に別の着色材を貼り合わせることも考えられるが、その分マイナスイオンの発生が減少してしまう。特開２０００−２６２６４１号公報では、眼鏡フレームには直接用いずに、フレームとは別体に装着することで、眼鏡フレームのデザインをそのまま用いるようにしているが、別体に装着するため全体的に見てデザイン上問題が多い。また、人体から離れて取り付けられるため、発生したマイナスイオンが人体に影響を与える前に空気中のプラスイオンと反応してしまい、その効果が減少する。
【０００５】
そこで、本発明では、こうした天然放射性稀有元素含有鉱物を用いて十分なマイナスイオン効果を奏するとともに、眼鏡フレームの色合いについても制限されない眼鏡フレームを提供することを目的とするものである。
【０００６】
【課題を解決するための手段】
本発明に係る眼鏡フレームは、眼鏡フレームを構成する部材の人体側の面の少なくとも一部に、粉末状の天然放射性稀有元素含有鉱物を含有する樹脂層が形成されていることを特徴とする。さらに、前記部材は、前記鉱物を含有する樹脂プレートを別の樹脂プレートに接着剤で貼り合せ機械加工により成形されていることを特徴とする。さらに、前記部材は、前記鉱物を混合した樹脂材料を含む複数種類の樹脂材料を用いて押出成形により成形した積層プレートを機械加工により成形していることを特徴とする。さらに、前記樹脂層は、前記部材に形成された凹部に埋め込まれていることを特徴とする。さらに、前記樹脂層は、前記部材に塗布されて形成されていることを特徴とする。
【０００７】
本発明は上記のような構成を有することで、眼鏡フレームの人体側の面に形成された天然放射性稀有元素含有鉱物を含有する樹脂層が人体に密着するか至近距離に位置するので、発生したマイナスイオンは人体に十分な影響を与えることができ、リラックス効果、疲労回復、新陳代謝の促進、血行促進といった健康増進、生理機能改善の効果を奏する。
【０００８】
そして、眼鏡フレームのデザイン上重要な外側の部分−すなわち、眼鏡フレームの構成部材の人体とは逆の側の面については、従来と同様の着色材を用いることができるので、デザインを損なうことはほとんどない。したがって、様々なデザインを表出することができるとともに健康増進効果も期待できる眼鏡フレームが実現できる。
【０００９】
そして、粉末状の天然放射性稀有元素含有鉱物を混合して樹脂プレートを成形し、眼鏡フレームの外側を構成する別の樹脂プレートに貼り合せて研削等の機械加工により部材を成形すれば、人体側に前記鉱物を含有した樹脂層を簡単に形成することができる。また、樹脂を用いることで従来同様様々な形に成形することが可能となる。前記鉱物を混合した樹脂材料を用いて他の樹脂材料とともに押出成形により積層プレートを成形すれば、前記鉱物を含有した樹脂層を均一な品質で簡単に製造することができる。
【００１０】
また、眼鏡フレームを構成する部材を成形した後でも、部材に機械加工等により凹部を形成してその中に前記鉱物を含有する樹脂を埋め込むことで、簡単に樹脂層を形成することができる。眼鏡フレームを構成する部材が金属からなっている場合でも、前記鉱物を含有した液状の樹脂を人体側の面に塗布して固化すれば簡単に樹脂層を形成することができる。以上のように樹脂層を形成すれば、最終的に仕上がった眼鏡フレームのデザインを損なわずに樹脂層の形成を行うことが可能となる。
【００１１】
【発明の実施の形態】
以下、本発明に係る眼鏡フレームに関する実施形態について詳しく説明する。図１は、眼鏡フレーム１全体の斜視図を示している。眼鏡フレーム１の人体側である内側には粉末状の天然放射性稀有元素含有鉱物を含有した樹脂層２が形成されており、眼鏡フレーム１の外側には、別の樹脂層３が形成されている。図２の平面図で示すように、眼鏡フレーム１を構成する部材であるリムフレーム及びテンプル全体がこれらの２層構造で構成されている。
【００１２】
図３には、眼鏡フレーム１の製造工程の概略が図示されている。樹脂層３のもととなる樹脂プレート４はアセテート又はセルロイド等の合成樹脂材料を用いてプレート状に成形されたものである。樹脂プレート５は、アセテート又はセルロイド等の合成樹脂材料に粉末状の天然放射性稀有元素含有鉱物を混合してプレート状に固化したものである。天然放射性稀有元素含有鉱物は、粉砕して焼成し平均粒径が約１μｍ程度に粉末化したものが好ましい。また、天然放射性稀有元素含有鉱物としては、例えば、サマルスキ−石（酸化ウラン含有）、フエルグソン石（酸化イットリウム含有）、ゼノタイム（酸化イットリウム含有）といった鉱石が挙げられるが、これらに限定されない。そして、こうした鉱物の添加量は、樹脂プレート５の段階で重量比で約２％程度添加するのが好ましい。ただし、年間の放射線量が１ｍＳｖ（ミリ・シーベルト）以下となるようであれば、これ以上添加しても問題はない。
【００１３】
こうして成形された樹脂プレート４及び５は、接着剤を用いて貼り合せ、一体となった樹脂ブロック６となる。樹脂ブロック６を適当な大きさに切断して分割し、大ブロック７及び小ブロック８を作成する。そして、大ブロック７を研削等の機械加工によりリムフレーム９に成形する。また、小ブロック８を同様に研削等の機械加工によりテンプル１０に成形する。そして、両者に蝶番を埋め込んで、ネジにより結合して眼鏡フレーム１１が仕上げられる。樹脂層２の厚さは、大ブロック７及び小ブロック８の研削の程度で適宜調整することができる。また、テンプル１０のみに樹脂層２を形成することもでき、さらに、研削によりテンプル１０の耳掛け部のみ樹脂層２を残すようにしてもよい。また、リムフレーム９の鼻当て部分のみ樹脂層２を残すようにしてもよく、樹脂層２をどこにどの程度の厚さで形成するかは適宜設定することができる。
【００１４】
上記の例では、接着剤を用いて製造しているが、押出成形により成形することもできる。例えば、樹脂層２を形成する材料として、チップ状の樹脂材料に上述した粉末状の鉱物を混合したものを用い、樹脂層３を形成する材料として、チップ状の樹脂材料に染料等着色材を混合したものを用いて、両者を別々に加熱し溶融状態にしてから同時に押出成形し上下２層の積層プレートを成形する。こうして成形された積層プレートを上述した樹脂ブロック６と同様に機械加工によりリムフレームやテンプルに加工する。このように、押出成形を用いれば、均一な品質の樹脂層２を簡単に形成することができ、さらに、３層以上の積層プレートも簡単に製造できることから、異なる色に着色された樹脂層が積層されてより深みのある色合いを表出することも可能になる。
【００１５】
図４は、テンプル１２に、天然放射性稀有元素含有鉱物を含有する樹脂層１３を埋め込んだ例を示している。図４（ｂ）は、Ａ−Ａ’での断面図である。テンプル１２は、樹脂ブロック又は積層プレートから粗く成形加工された後樹脂層１３を埋め込むための溝１４が研削等により形成される。溝１４は、図４（ｂ）に示すように、眼鏡フレームにテンプルを取り付けた時に人体側−すなわち内側の面に形成される。樹脂層１３は、アクリル樹脂、ウレタン樹脂、エポキシ樹脂、シリコン樹脂、ポリエステル樹脂等から適宜選択された液状の樹脂材料に上述した粉末化された鉱物を添加して均一に混合した後溝１４に流し込まれて固化することで形成される。樹脂層１３が形成された後テンプル１２全体の仕上げ加工がなされる。なお、樹脂層１３は、予め固化したものを溝１４の形に成形して溝１４に嵌め込み、接着剤で固定してもよい。
【００１６】
図５は、テンプル１２が金属材料を用いて成形されている場合に樹脂層１５を塗布して形成する例を示している。図５（ｂ）は、Ｂ−Ｂ’での断面図である。テンプル１２に用いられる金属材料としては、チタン合金、ニッケル合金、洋白等が挙げられるが、こうした金属材料に接着する樹脂材料を樹脂層１５に用いるとよい。例えば、アクリル樹脂、ウレタン樹脂、エポキシ樹脂、シリコン樹脂、ポリエステル樹脂等から適宜選択された液状の樹脂材料に上述した粉末化された鉱物を添加して均一に混合する。その後テンプル１２を眼鏡フレームに取り付けた時の人体側−すなわち内側の面に、図５（ｂ）に示すように、樹脂層１５を所定の厚みになるように塗布する。以上の方法を用いれば、金属材料で成形された眼鏡フレームであっても天然放射性稀有元素含有鉱物を含有する樹脂層を形成することができる。こうした塗布による方法は、樹脂材料で成形された眼鏡フレームでももちろん採用することは可能である。
【００１７】
【発明の効果】
以上に説明したとおり、本発明に係る眼鏡フレームは、その人体側の面に形成された天然放射性稀有元素含有鉱物を含有する樹脂層が人体に密着するか至近距離に位置するので、発生したマイナスイオンは人体に十分な影響を与えることができ、リラックス効果、疲労回復、新陳代謝の促進、血行促進といった健康増進、生理機能改善の効果を奏する。
【００１８】
そして、眼鏡フレームのデザイン上重要な外側の部分−すなわち、眼鏡フレームの構成部材の人体とは逆の側の面については、従来と同様の着色材を用いることができるので、デザインを損なうことはほとんどない。したがって、様々なデザインを表出することができるとともに健康増進効果も期待できる眼鏡フレームが実現できる。
【００１９】
そして、粉末状の天然放射性稀有元素含有鉱物を混合して樹脂プレートを成形し、眼鏡フレームの外側を構成する別の樹脂プレートに貼り合せて研削等の機械加工により部材を成形すれば、人体側に前記鉱物を含有した樹脂層を簡単に形成することができる。また、樹脂を用いることで従来同様様々な形に成形することが可能となる。前記鉱物を混合した樹脂材料を用いて他の樹脂材料とともに押出成形により積層プレートを成形すれば、前記鉱物を含有した樹脂層を均一な品質で簡単に製造することができる。
【００２０】
また、眼鏡フレームを構成する部材を成形した後でも、部材に機械加工等により凹部を形成してその中に前記鉱物を含有する樹脂を埋め込むことで、簡単に樹脂層を形成することができる。眼鏡フレームを構成する部材が金属からなっている場合でも、前記鉱物を含有した液状の樹脂を人体側の面に塗布して固化すれば簡単に樹脂層を形成することができる。以上のように樹脂層を形成すれば、最終的に仕上がった眼鏡フレームのデザインを損なわずに樹脂層の形成を行うことが可能となる。
【図面の簡単な説明】
【図１】本発明に係る実施形態の斜視図である。
【図２】本発明に係る実施形態の平面図である。
【図３】本発明に係る実施形態の製造工程に関する説明図である。
【図４】本発明に係る別の実施形態のテンプルに関する側面図及び断面図である。
【図５】本発明に係る別の実施形態のテンプルに関する側面図及び断面図である。
【符号の説明】
１　　眼鏡フレーム
２　　樹脂層
３　　樹脂層
４　　樹脂プレート
５　　樹脂プレート
６　　樹脂ブロック
７　　大ブロック
８　　小ブロック
９　　リムフレーム
１０　　テンプル
１１　　眼鏡フレーム
１２　　テンプル
１３　　樹脂層
１４　　溝
１５　　樹脂層
【図１】
2004053963.tif 000003
【図２】
2004053963.tif 000004
【図３】
2004053963.tif 000005
【図４】
2004053963.tif 000006
【図５】
2004053963.tif 000007